(57)【要約】      （修正有）【課題】プリント配線板とその先端部に接続した電子部品を基台に保持する際に、プリント配線板自体の反力によって電子部品が取り付け面から浮いてしまうことのないプリント配線板の保持構造を提供する。【解決手段】電子部品１０に向けて延伸されたフレキシブルプリント配線板を、螺旋状に折り曲げた折り曲げ部１ｄの各々が保持基台３に設けた保持基台の溝７に組み込まれ、保持基台の溝７が備える空間に接着剤を流し込み、硬化させることでフレキシブルプリント配線基板を保持基台３に保持させる構造により、フレキシブルプリント基板が有する可撓性によるずれを抑制でき、安定した接着固定が実現できる。【選択図】図１
2010093017.tif 000002
【特許請求の範囲】
【請求項１】
複数本の配線パターンを有する細長く延伸したフレキシブル配線板が、その端部において電子部品が有する複数の金属端子部と電気的に接続する接続部を備え、
前記フレキシブル配線板が前記接続部以外の領域にて螺旋状に折り曲げられた折り曲げ部を備えることを特徴とするプリント配線基板の保持構造。
【請求項２】
前記折り曲げ部が前記プリント配線基板を保持する本体が備える保持部材に設けた溝に収められていることを特徴とする請求項１記載のプリント配線基板の保持構造。
【請求項３】
前記曲げ部と前記保持部材との位置関係が、前記フレキシブル配線板の曲げ湾曲部が膨らむことでこれを収める溝の周辺壁に荷重をかけることが可能な配置であることを特徴とする請求項２記載のプリント配線基板の保持構造。
【請求項４】
前記曲げ部の先端は水平面に略垂直な角度で折り曲げられ、前記電子部品の金属端子部と接続されていることを特徴とする請求項１〜３何れかに記載のプリント配線基板の保持構造。
【請求項５】
前記曲げ部と前記電子部品およびこれら部品の前記保持部材間に空間を形成しており、前記空間を前記本体の上面側から見た場合、前記本体の表面側から奥に向うにつれ空間の断面積が小さくなっていくことを特徴とする請求項１〜４何れかに記載のプリント配線基板の保持構造。
【請求項６】
前記フレキシブル配線板及び前記電子部品が前記保持部材に、前記空間に流し込んだ硬化型接着剤で固定されることを特徴とする請求項５記載のプリント配線基板の保持構造。
【請求項７】
前記電子部品が半導体レーザである請求項１〜５何れかに記載のプリント配線基板の保持装置。
【請求項８】
請求項１〜７の何れかに記載のプリント配線基板の保持構造を有する光ピックアップ装置。
【請求項９】
請求項１〜７の何れかに記載のプリント配線基板の保持構造を有する電気製品。
【発明の詳細な説明】
【技術分野】
【０００１】
本発明は電子部品を電気的に接続するフレキシブルなプリント配線板の保持構造に関するものである。
【背景技術】
【０００２】
プリント配線基板に実装する電子部品の一例として、光ピックアップに搭載される半導体レーザがある。
【０００３】
光ピックアップに搭載される半導体レーザはそのパッケージ外部に露出した金属端子をはんだ等の方法でフレキシブル配線板に電気的に接合し、このフレキシブル配線板を介してレーザ素子を駆動させるための光ピックアップ外部に有する回路と電気的に接続している。
【０００４】
この際、光ピックアップとして必要な読み取り性能を満足させるためにレーザパッケージが高精度な位置調整方法で取り付けなければならず、また取り付け後には様々な使用環境下でもレーザ取り付け位置が変化しないことが重要であり、そのためレーザと直接接続されているフレキシブル配線板がレーザ位置を変化させないような保持構造であることが重要となってくる（例えば特許文献１等）。
【０００５】
このような背景において従来の半導体レーザおよびこれを接合したフレキシブル配線板の保持構造例を図４〜図６に示す。まず図４に保持前、図５の保持後の状態を示す。４は光ピックアップの各種部品を保持するための本体となる保持基台である。この保持基台の上面側に存在するフレキシブル配線板２の本体部２ａが、基台の外周側２ｃ方向へ図示しない外部回路との接続のために延伸するともに、２ｂ箇所で細長く２分岐してレーザパッケージ１０の相対面する位置に有する端子１１、１２に向けて延伸している。そしてこれら２分岐のフレキシブル配線板２ｂはその先端部２ｄ、２ｅにてレーザパッケージの金属端子部１１、１２と各々はんだ接合されている。レーザパッケージ１０は保持基台４に対して図５のように側面側からレーザの出射光軸２１が水平面に対して略平行になるよう取り付けられる必要がある。これを実現するためにフレキシブル配線板２の本体部２ａから２分岐された２ｂ部が各々途中で略直角もしくは湾曲に折り曲げられた状態となり、この部分にてフレキシブル配線板を上面側から垂らしてレーザパッケージ１０が保持基台の側面に有する勘合面５に押し当てられている。その後、図６のようにフレキシブル配線板の本体部２ａは上面側から保持基台に向けて板ばね１３で押し当て保持されると共に、この板バネの一部１４がレーザパッケージの存在する方向に延伸し、パッケージの保持基台勘合面と反対面側から保持基台面方向に対して１００〜４００ｇｆ程度の荷重で押さえ仮保持している。この荷重により板バネ取り付け後にはフレキシブル配線板の反力によりレーザパッケージが勘合面から浮き上がること無しにレーザパッケージ位置の高精度な位置調整が可能となっている。位置調整後には保持基台に設けられた接着溜り空間１６に接着剤を注入することでフレキシブル配線板のレーザ端子接合部付近とレーザパッケージおよび保持基台の３種類の部品を一同に固定保持している。
【特許文献１】特開２００５−０１８９３８号公報
【発明の開示】
【発明が解決しようとする課題】
【０００６】
しかしながら、上記のような従来例では以下に列挙する課題点があった。
【０００７】
従来例においてはフレキシブル配線板を保持基台に組み込んだ後、板バネを装着させるまでの間や装着時において、フレキシブル配線板の２分岐部分の直角折り曲げ部もしくは湾曲部の反力によりレーザパッケージが保持基台から浮いてしまい、たとえ一旦レーザパッケージを保持基台の勘合面に押し当てたとしても常にパッケージが浮く方向に反力が掛かり取り付け困難となりそのため作業性が悪くなってしまう。またレーザパッケージとフレキシブル配線板のはんだ接合位置のずれやレーザの位置調整誤差によって、２分岐部の直角折り曲げ付近が図５の２０のように撓んでしまい、この撓んだ部分が光ピックアップの規定高さを越えてしまう恐れがある。さらにはレーザの位置調整後の接着固定の際にフレキシブル配線板と保持基台の間に上面から下面へ貫通した空間１６へ接着剤を注入しなければならないため、上面側から注入した接着剤が硬化する前に下面側から流れ出してしまい、接着面積のばらつきや下面側からの接着剤飛び出しによる高さ不良となる可能性がある。
【０００８】
本発明は、前記従来の課題を解決するもので、半導体レーザのような取り付け位置精度が必要な電子部品を組み込む際に電子部品に接続したフレキシブル配線板による反力等で電子部品が動いてしまうことなく安定した作業性を実現するとともに、フレキシブル配線板がこれを搭載する電気部品本体の上下方向の高さ規定量に影響を与えることもなく安定した接着保持可能なフレキシブル配線板の保持構造を実現することを目的とする。
【課題を解決するための手段】
【０００９】
前記従来例の課題を解決するために本発明のフレキシブル配線板の保持構造は、複数本の配線パターンを有する細長く延伸したフレキシブル配線板が、その端部において電子部品が有する複数の金属端子部と電気的に接続する接続部を備え前記フレキシブル配線板が前記接続部以外の領域にて螺旋状に折り曲げられた折り曲げ部を備える。
【発明の効果】
【００１０】
本発明のフレキシブル配線板保持構造によれば、以下の三つの効果がある。
【００１１】
一つめは螺旋状に折り曲げたフレキシブル配線板が保持基台の溝内部でその折り曲げを開放するよう自然に膨らむことによりこれを収める溝の各面に対して荷重を掛けこれにより保持基台からフレキシブル配線板が外れることがなくなる。その結果、長時間放置していてもこのフレキシブル配線板に接続した電子部品が安定して仮保持され続け、板バネ取り付け時にも作業性が向上する。
【００１２】
二つめは保持基台内の溝にそって螺旋状のフレキシブル配線板が延伸することにより、レーザパッケージとのフレキシブル配線板のはんだ接合近傍の位置関係は従来例のような上面側から曲げて垂らす配置ではなく横方向から曲げて配置できるためフレキシブル配線板の撓み部分が上側に大きく飛び出してしまうことを避けることができる。
【００１３】
三つめはフレキシブル配線板を螺旋状に折り曲げることによりレーザパッケージ近傍で形成される空間が、上面側から奥に向うにつれその断面積が小さくなっていく形状となり、この空間に対して接着剤を注入することで接着剤が下面側へ流れ出すことを避けることが可能となるため安定した接着固定を実現できる。
【発明を実施するための最良の形態】
【００１４】
以下本発明を実施するための最良の形態について、図面を参照しながら説明する。
【００１５】
（実施の形態）
（実施の形態の構成）
図１〜図３は、本発明における実施の形態におけるフレキシブル配線板とこれが接続されるレーザパッケージ部の要部構造である。フレキシブル配線板の本体部分１ａから２方向に延伸された細長い領域１ｂはそれぞれ螺旋状１ｄに折り曲げられている。これが保持基台３に設けた溝７内に挿入されている。この溝によってフレキシブル配線板の螺旋曲げ領域１ｄは、上面方向以外の３方向に保持部材の壁が存在する配置となっている。螺旋状に折り曲げられたフレキシブル配線版の先端部１ｇ、１ｈは１ｅ、１ｆ部にて水平面に対して略垂直の角度で折り曲げられ（１ｅ、１ｆ）、レーザパッケージ１０の端子部１１、１２とはんだ接合されている。レーザパッケージは保持基台の取り付け面に押し当てられる。この後に図示しないが従来例と同様、フレキシブル配線板を上面側から保持するとともにレーザパッケージを保持基台取り付け面方向へ押し当て可能な板バネを装着している。またレーザ取り付け面付近の拡大図を図３に示す。この図の１ｄがフレキシブル配線板であり３が保持基台である。フレキシブル配線板を螺旋状に折り曲げているために１５領域に上面側から下面側にかけて萎んだ空間ができており。この空間に接着剤を注入している。
（実施の形態の作用）
以上の構成において、フレキシブル配線板の螺旋状折り曲げ部分が反力で拡がりこれを収める保持基台の溝に荷重を与えることでフレキシブル配線板およびこれと接続しているレーザパッケージが安定して仮保持される。また螺旋状に曲げることで形成される空間を接着溜りとして利用することができる。
（実施の形態の効果）
以上の構成によれば、フレキシブル配線板に接合されたレーザパッケージを安定して仮保持すると共に安定した接着効果が可能となる。
（他の実施の形態）
なお上述の実施の形態ではフレキシブル配線板の接合対象となる電子部品を光ピックアップの半導体レーザパッケージとしたが、安定して保持することを目的としていれば対象は如何なる電子部品でも構わない。また本実施例において螺旋状に折り曲げている箇所以外の配線板についても全てフレキシブルな配線板として説明しているが、螺旋状部分がフレキシブル配線板であればそれ以外の配線部分はガラスエポキシ材から成るような硬質基板であっても本発明の対象とする。
【産業上の利用可能性】
【００１６】
本発明にかかるフレキシブル配線板の電子部品保持構造によれば、取り付け作業時にフレキシブル配線板の反力によって電子部品が本来取り付けられるべき箇所から大きく離れることが無くなるためその後の作業性が向上し安定した仮保持も可能となることから本発明の例とした光ピックアップ装置以外にも各種の電気機器に採用することができる。
【図面の簡単な説明】
【００１７】
【図１】本発明の実施の形態におけるフレキシブル配線板保持構造図
【図２】本発明の実施の形態におけるフレキシブル配線板折り曲げ図
【図３】本発明の実施の形態におけるフレキシブル配線板保持部の拡大図
【図４】従来例の光ピックアップ用フレキシブル配線板構造図
【図５】従来例の光ピックアップ用フレキシブル配線板保持構造断面図
【図６】従来例の光ピックアップ用フレキシブル配線板保持構造図
【符号の説明】
【００１８】
１    本発明に係るフレキシブル配線板
１ａ    本発明に係るフレキシブル配線板本体部
１ｂ    本発明に係るフレキシブル配線板分岐部
１ｃ    本発明に係るフレキシブル配線板外部回路へ引き出し部
１ｄ    本発明に係るフレキシブル配線板螺旋状曲げ部
１ｅ    本発明に係るフレキシブル配線板直角折り曲げ部
１ｆ    本発明に係るフレキシブル配線板直角折り曲げ部
１ｇ    本発明に係るフレキシブル配線板先端部
１ｆ    本発明に係るフレキシブル配線板先端部
２    従来例のフレキシブル配線板
２ａ    従来例のフレキシブル配線板本体部
２ｂ    従来例のフレキシブル配線板分岐部
２ｃ    従来例のフレキシブル配線板外部回路へ引き出し部
２ｄ    従来例のフレキシブル配線板本体部先端部
２ｅ    従来例のフレキシブル配線板本体部先端部
３    本発明に係る保持基台
４    従来例の保持基台
５    保持基台側面レーザパッケージ勘合部
６    保持基台側面レーザパッケージ取り付け穴
７    保持基台の溝
１０    レーザパッケージ
１１    レーザパッケージの金属端子
１２    レーザパッケージの金属端子
１３    板バネ
１４    板バネに設けたレーザパッケージ押さえ領域
１５    本発明に係る接着塗付空間
１６    従来例の接着塗付空間
２０    従来例のフレキシブル配線板撓み箇所
【図１】
2010093017.tif 000003
【図２】
2010093017.tif 000004
【図３】
2010093017.tif 000005
【図４】
2010093017.tif 000006
【図５】
2010093017.tif 000007
【図６】
2010093017.tif 000008